(57)【要約】      （修正有）【課題】椅子として転用することができ、防災時に十分に気づくことができ、しかも肩掛けバッグとしても兼用することができるバッグを提供する。【解決手段】下側に底面部１を有し上側に開口部を有し周壁３を有する円筒状本体４と、上側に天面部５を有し下側に開口部を有し周壁を有する円筒状蓋体とが接続部で接続されて分離可能な円筒型のバッグ１０であって、本体開口部の上側周縁部と蓋体開口部の下側周縁部には接続部を除いてそれぞれ面ファスナーの一面１３と他面１４が縫合されており、上側周縁部の直近下側部の外壁面と底面部の直近上側部１７の外壁面１８に、斜め方向にそれぞれ延びる上側短寸ベルト１９と下側短寸ベルト２０が縫合されており、上側短寸ベルトと下側短寸ベルトにそれぞれ連結する長寸ベルト２１が本体外壁面に卷回して設けられている。【選択図】図１
0003202950.tif 000002
【実用新案登録請求の範囲】
【請求項１】
下側に底面部を有し上側に開口部を有し周壁を有する円筒状本体と、上側に天面部を有し下側に開口部を有し周壁を有する円筒状蓋体とが接続部で接続されて分離可能な円筒型のバッグであって、
前記本体開口部の上側周縁部と前記蓋体開口部の下側周縁部には前記接続部を除いてそれぞれ面ファスナーの一面と他面がそれぞれ縫合されており、
前記上側周縁部の直近下側部の外壁面と前記底面部の直近上側部の外壁面に、短寸で斜め方向にそれぞれ延びる上側短寸ベルトと下側短寸ベルトが縫合されており、
上側短寸ベルトと下側短寸ベルトにそれぞれ連結する長寸ベルトが本体外壁面に卷回して設けられていることを特徴とするバッグ。
【請求項２】
長寸ベルトを上側短寸ベルト又は下側短寸ベルトから離脱し、本体外壁面に卷回された長寸ベルトを引き伸ばして、離脱した長寸ベルトの離脱端を再び上側短寸ベルト又は下側短寸ベルトに連結し、肩ベルトを有するバッグとして用いる請求項１記載のバッグ。
【請求項３】
バッグがスツールバッグである請求項１〜２のいずれかの項に記載のバッグ。
【請求項４】
前記円筒状本体部は、前記蓋体開口部から前記本体部の下側底面部に至るまで、内部を横断面クロス状態に仕切る仕切り板が設けられている請求項１〜３のいずれかの項に記載のバッグ。
【請求項５】
仕切り板の開口部に防災グッズが収納された請求項４記載のバッグ。
【請求項６】
前記円筒状本体部は、前記蓋体開口部から前記本体部の下側底面部に至るまで、円筒型の芯材を内装した請求項１〜３のいずれかの項に記載のバッグ。
【考案の詳細な説明】
【技術分野】
【０００１】
本考案は、肩掛けバッグに関し、背もたれなしの椅子としても兼用可能なスツールバッグに関し、さらに詳細には防災バッグとして好適なスツールバックに関するものである。
【背景技術】
【０００２】
従来のこの種の防災バッグは、バッグ本体を背負うための背負い帯と、該バッグ本体をカート状態にして運ぶためのキャスター及び引き手部材を備えたバッグであって、上記バッグ本体に、キャスターを着脱可能に覆うカバー片と、バッグ本体の背負い面または背負い帯の表面に当接した状態で支持するクッション体を設けたことを特徴とするバッグが提供されている（特許文献１）。
【先行技術文献】
【特許文献】
【０００３】
【特許文献１】実用新案登録第３１７９４８２号
【考案の概要】
【考案が解決しようとする課題】
【０００４】
しかしながらこの種の防災バッグは、バッグ本体を背負うための背負い帯と、該バッグ本体をカート状態にして運ぶためのキャスター及び引き手部材を備えたバッグであるから、バッグそのものを椅子として転用することまでは想定していない。また旧来の防災バッグは防災時には必ずしも気づくことが少ないため、防災効果を十分果たすことができない難点がある。また防災バッグは複数の防災グッズを常時用意しなければならないことから、複数の防災グッズが常時スタンバイ状態にあり、しかもバッグ内部から取り出しやすくしなければならず、防災効果に優れたものでなければならない。
【０００５】
本考案の目的は、バッグを椅子として転用することができ、防災時に十分に気づくことができ、しかも肩掛けバッグとしても兼用することができるバッグを提供するところにある。
【課題を解決するための手段】
【０００６】
前記課題を解決するため、
請求項１の考案は、下側に底面部を有し上側に開口部を有し周壁を有する円筒状本体と、上側に天面部を有し下側に開口部を有し周壁を有する円筒状蓋体とが接続部で接続されて分離可能な円筒型のバッグであって、
前記本体開口部の上側周縁部と前記蓋体開口部の下側周縁部には前記接続部を除いてそれぞれ面ファスナーの一面と他面がそれぞれ縫合されており、
前記上側周縁部の直近下側部の外壁面と前記底面部の直近上側部の外壁面に、短寸で斜め方向にそれぞれ延びる上側短寸ベルトと下側短寸ベルトが縫合されており、
上側短寸ベルトと下側短寸ベルトにそれぞれ連結する長寸ベルトが本体外壁面に卷回して設けられていることを特徴とするバッグである。
【０００７】
本請求項２の考案は、長寸ベルトを上側短寸ベルト又は下側短寸ベルトから離脱し、本体外壁面に卷回された長寸ベルトを引き伸ばして、離脱した長寸ベルトの離脱端を再び上側短寸ベルト又は下側短寸ベルトに連結し、肩ベルトを有するバッグとして用いる請求項１記載のバッグである。
本請求項３の考案はバッグがスツールバッグである請求項１〜２のいずれかの項に記載のバッグである。
【０００８】
本請求項４の考案は、前記円筒状本体部は、前記蓋体開口部から前記本体部の下側底面部に至るまで、内部を横断面クロス状態に仕切る仕切り板が設けられている請求項１〜３のいずれかの項に記載のバッグである。
【０００９】
本請求項５の考案は、仕切り板の開口部に防災グッズが収納された請求項４記載のバッグである。
【００１０】
本請求項６の考案は、前記円筒状本体部は、前記蓋体開口部から前記本体部の下側底面部に至るまで、内部に円筒型の芯材を内装した請求項１〜３のいずれかの項に記載のバッグである。
【考案の効果】
【００１１】
請求項１の考案は、下側に底面部を有し上側に開口部を有し周囲は周壁を有する円筒状本体と、上側に天面部を有し下側に開口部を有し周囲は周壁を有する円筒状蓋体とが接続部で接続されて分離可能な円筒型のバッグであり、特に、前記本体開口部の上側周縁部と前記蓋体開口部の下側周縁部には前記接続部を除いてそれぞれ面ファスナーの一面と他面がそれぞれ縫合されており、前記上側周縁部の直近下側部の外壁面と前記底面部の直近上側部の外壁面に、短寸で斜め方向にそれぞれ延びる上側短寸ベルトと下側短寸ベルトが縫合されており、上側短寸ベルトと下側短寸ベルトにそれぞれ連結する長寸ベルトが本体外壁面に卷回して設けられているから、ダイニング用の椅子や、玄関で靴やブーツを履く腰掛などの椅子（スツール）として利用することができる。とりわけ前記構成より長寸ベルトは本体外壁面に卷回されているので、背もたれなしの椅子（スツール）として十分対応することができる。また本体外壁面に卷回された長寸ベルトの一方を上側短寸ベルト又は下側短寸ベルトとの連結を解除するようにすれば、前記長寸ベルトは自由に解放されて、再び上側短寸ベルト又は下側短寸ベルトに連結すると肩掛けバッグとして利用することができる。また限定されるものではないが、前記蓋体開口部から前記本体部の下側底面部に至るまでさらに前記仕切り板が設けられていれば、前記仕切り板がないものと比較して、強度は確保され、体重がかかっても十分対抗することができる。またこれにかかわらず、前記仕切り板ではなく、前記蓋体開口部から前記本体部の下側底面部に至るまで更に円筒形の芯材を内装することによって、前記円筒形の芯材がないものと比較して、強度は確保される。要するに芯材を前記蓋体開口部から前記本体部の下側底面部に至るまで更に内装すれば足りる。
【００１２】
従って、日常時は円筒型の椅子（スツール）として利用可能であり、防災時には椅子であれば十分に気づくことができ、防災バッグとしても兼用することができる。
【００１３】
しかも防災時はバッグ内に仕切り板により仕切られた空間がある場合、かかる空間内に例え水ボトルやシート及びごみ袋等を区画して収納することができる。
【００１４】
よって、本考案は普段は背もたれなしの椅子（スツール）として利用することができる。しかもバッグとして利用する場合は、肩掛けバックとして利用することができる。
【図面の簡単な説明】
【００１５】
【図１】本考案の一実施形態を示すバッグの斜視図である。
【図２】同バッグの拡大正面図である。
【図３】同バッグの蓋体を開けた状態を示す蓋体の斜視図である。
【図４】同バッグの蓋体を開け、仕切り板により仕切られて内部に防災グッズを収納された状態を示す斜視図である。
【図５】同バッグを腰掛として実施した同バッグの正面図である。
【図６】同バッグを肩掛けバッグとして実施した同バッグの図である。
【図７】本考案の他実施例を示す円筒形の芯材を内装した斜視図である。
【考案を実施するための形態】
【００１６】
図１は本考案の一実施形態を示すバッグの斜視図である。図２は同バッグの拡大正面図である。図３は同バッグの蓋体を開けた状態を示す蓋体の斜視図である。図４は同バッグの蓋体を開け、仕切り板により仕切られて内部に防災グッズを収納された状態を示す斜視図である。
【００１７】
図１〜３において、１は底面部、２は開口部、３は周壁、４は円筒状本体で、５は天面部、６は開口部、７は周壁、８は円筒状蓋体である。９は接続部であり、円筒状本体４と円筒状蓋体８は接続部９で接続されて分離可能な円筒型のバッグ１０である。
前記本体開口部２の上側周縁部１１と前記蓋体開口部６の下側周縁部１２には前記接続部９を除いてそれぞれ面ファスナーの一面１３と他面１４がそれぞれ縫合されている。
前記上側周縁部１１の直近下側部１５の外壁面１６と前記底面部１の直近上側部１７の外壁面１８に、短寸で斜め方向にそれぞれ延びる上側短寸ベルト１９と下側短寸ベルト２０が縫合されており、上側短寸ベルト１９と下側短寸ベルト２０にそれぞれ連結する長寸ベルト２１が本体外壁面１８に卷回して設けられている。
【００１８】
本考案は必ずしも限定されるものではないが、前記円筒状本体部４は、前記蓋体開口部６から前記本体部１の下側底面部に至る寸法まで、内部を横断面クロス状態に仕切る仕切り板２２が設けられている。
【００１９】
従って、ダイニング用の椅子や玄関で靴やブーツを履く腰掛などの椅子（スツール）として利用することができる。
【００２０】
とりわけ前記構成より長寸ベルト２１は本体外壁面１８に卷回されているので、背もたれなしの椅子（スツール）として十分対応することができる。また本椅子は体重がかかっても十分対抗することができるが、さらに強度を向上させるため、前記蓋体開口部６から前記本体４の下側底面部に至る寸法まで前記仕切り板２２を設けることが好ましい。また本体外壁面１８に卷回された長寸ベルト２１の一方を上側短寸ベルト１９又は下側短寸ベルト２０との連結を解除するようにすれば、前記長寸ベルト２１は自由に解放されて、再び上側短寸ベルト１９又は下側短寸ベルト２０に連結すると肩掛けバッグ２３として利用することができる。
従って、日常時は円筒型の椅子（スツール）として、防災時には椅子であれば十分に気づくことができ、防災効果を十分果たすことができる。しかも防災時はバッグ内に仕切り板２２により仕切られた空間がある場合、かかる空間内に例えば５００ｍｍの水ボトル、シート及びごみ袋等を区画して収納することもできる。
【００２１】
本考案は上記実施形態に限定されない。ベルト同士の連結手段は、例えば上側短寸ベルト１９と下側短寸ベルト２０にそれぞれＤカンを設け、長寸ベルト２１に一対のナスカンを設けて相互に連結しているが、連結手段はこれに限定されない。また長寸ベルト２１が本体外壁面１８に卷回して設けられているが、長寸ベルト２１には寸法を調節する調節手段を設けても良い。
【００２２】
また円筒型の椅子（スツール）として利用する場合、前記仕切り板２２に限定されない。他実施例として、十字型のアクリル板を無くし、図７に示す様に、前記蓋体開口部６から前記本体４の下側底面部に至る寸法まで、円筒形の芯材２４を内装しても十分強度は確保される。要するに芯材を内装すればよい。
【００２３】
以上の通り、この考案は下側に底面部を有し上側に開口部を有し周囲は周壁を有する円筒状本体と、上側に天面部を有し下側に開口部を有し周囲は周壁を有する円筒状蓋体とが接続部で接続されて分離可能な円筒型のバッグであり、特に、前記本体開口部の上側周縁部と前記蓋体開口部の下側周縁部には前記接続部を除いてそれぞれ面ファスナーの一面と他面がそれぞれ縫合されており、前記上側周縁部の直近下側部の外壁面と前記底面部の直近上側部の外壁面に、短寸で斜め方向にそれぞれ延びる上側短寸ベルトと下側短寸ベルトが縫合されており、上側短寸ベルトと下側短寸ベルトにそれぞれ連結する長寸ベルトが本体外壁面に卷回して設けられているから、ダイニング用の椅子や、玄関で靴やブーツを履く腰掛などの椅子（スツール）として利用することができる。とりわけ前記構成より長寸ベルトは本体外壁面に卷回されているので、背もたれなしの椅子（スツール）として十分対応することができる。また前記蓋体開口部から前記本体部の下側底面部に至るまで前記仕切り板が設けられている場合、体重がかかっても十分対抗することができる。また本体外壁面に卷回された長寸ベルトの一方を上側短寸ベルト又は下側短寸ベルトとの連結を解除するようにすれば、前記長寸ベルトは自由に解放されて、再び上側短寸ベルト又は下側短寸ベルトに連結すると肩掛けバッグとして利用することができる。
【００２４】
従って、日常時は円筒型の椅子（スツール）として利用可能であり、防災時には椅子であれば十分に気づくことができ、防災効果を十分果たすことができる。しかも防災時はバッグ内に仕切り板により仕切られた空間がある場合は、かかる空間内に例えば５００ｍｍの水ボトル、シート及びごみ袋等を区画して収納することができる
【符号の説明】
【００２５】
１      底面部
２      開口部
３      周壁
４      本体
５      天面部
６      開口部
７      周壁
８      蓋体
９      接続部
１０    バッグ
１１    上側周縁部
１２    下側周縁部
１３    一面
１４    他面
１５    直近下側部
１６    外壁面
１７    直近上側部
１８    外壁面
１９    上側短寸ベルト
２０    下側短寸ベルト
２１    長寸ベルト
２２    仕切り板
２３    肩掛けバッグ
２４    芯材
【図１】
0003202950.tif 000003
【図２】
0003202950.tif 000004
【図３】
0003202950.tif 000005
【図４】
0003202950.tif 000006
【図５】
0003202950.tif 000007
【図６】
0003202950.tif 000008
【図７】
0003202950.tif 000009